(57)【要約】【課題】内側・外側いずれの方向からの風又は圧力にも対応し、比較的簡易な方法で製造することが可能な、新たな傘の耐風・耐圧構造を提供すること。また、傘の開閉時のショックを和らげ、老人や子供でもより安全に使用可能な傘を提供することる。【解決手段】傘の手元部又は基部が中空部になっており、中空部に挿入されている中軸にフランジ部又は凸部が設けられ、中空部のうち、中軸のフランジ部又は凸部の上部及び下部に、フランジ部又は凸部が設けられ、かつ中空部内で、中軸のフランジ部又は凸部の上部と下部に、弾性体が設けられていることからなること。【選択図】図２
2011160908.tif 000002
【特許請求の範囲】
【請求項１】
手元部又は基部が中空部になっており、中空部に挿入されている中軸にフランジ部又は凸部が設けられ、
中空部のうち、中軸のフランジ部又は凸部の上部及び下部に、フランジ部又は凸部が設けられ、
かつ中空部内で、中軸のフランジ部又は凸部の上部と下部に、弾性体が設けられていることからなることを特徴とする傘の耐風・耐圧構造。
【請求項２】
弾性体が、コイルバネであることを特徴とする請求項１に記載の傘の耐風・耐圧構造。
【発明の詳細な説明】
【技術分野】
【０００１】
本発明は傘の耐風・耐圧構造に関する。なお、本発明において「傘」とは、ビニール傘・雨傘・日傘等の個人で使う傘のみならず、ビーチパラソルや山岳用のパラソルなどを含む概念である。
【背景技術】
【０００２】
従来より、各種傘の構造において、強風を受けたときの圧力に対応できる構造が開示されている。典型的なものとしては、親骨と支骨は通常は８本ずつであるが、１２本ずつ備えたものがある。
また、傘布の裏面に強風を受けた際、梁骨が上向きに反り返ることにより強風を逃がし、梁骨が上向きに反り返った際には、下ろくろを傘軸に沿わせて下げることにより、梁骨を軽い力で簡単に正常な状態に戻すことができる傘（例えば、特許文献１参照。）や、笠布にあたる部分に貫通孔を設けたもの（例えば、特許文献２参照。）がある。
【０００３】
しかし、ろくろに特別な構造を持たせたものでは、構造が複雑で壊れやすく、製造上の問題点があった。また、笠布にあたる部分に貫通孔を設けたものは、風の方向によっては水が入ってくる可能性があり、また内側からの風についてのみにしか対応できず、その効果が十分ではなかった。
【０００４】
また、近年はワンタッチ傘や自動開閉傘が広く販売されているが、老人や子供にとっては必要以上に強く開いたりすることがある。また、ビーチパラソルなど大型の傘は使用時に風などの圧力を和らげないと、成年にとっても取り扱いが危険な場合がある。
【先行技術文献】
【特許文献】
【０００５】
【特許文献１】特開平１１−３３２６２４号公報
【特許文献２】特開２００３−１３５１１９号公報
【発明の概要】
【発明が解決しようとする課題】
【０００６】
そこで、本発明は、従来の耐風・耐圧構造とは異なる観点から、内側・外側いずれの方向からの風又は圧力にも対応し、比較的簡易な方法で製造することが可能な、新たな傘の耐風構造を提供することを目的とする。また、傘の開閉時のショックを和らげ、老人や子供でもより安全に使用可能な傘を提供することを目的とする。
【課題を解決するための手段】
【０００７】
前記目的を達成するため、本発明の傘の耐風及び耐圧構造は、
手元部又は基部が中空部になっており、中空部に挿入されている中軸にフランジ部又は凸部が設けられ、
中空部のうち、中軸のフランジ部又は凸部の上部及び下部に、フランジ部又は凸部が設けられ、
かつ中空内で、中軸のフランジ部又は凸部の上部と下部に、弾性体が設けられていることからなる。
【０００８】
また、弾性体がコイルバネであることが好適である。。
【０００９】
本発明は、従来の傘の耐風構造と異なり、手元部又は基部に耐風構造を持たせたものである。そして、中軸に設けたフランジ部又は凸部と、その上下に備えられた弾性部材により、上側及び下側どちらに対しても耐風性を持つこととしたものである。
なお、本願において、手元部又は基部とは、傘の下方で中軸を支える部分を意味する。個人で持ち歩いて使う傘においては手元の部分をさし、最も汎用されているものとしてはＪ字型のものがあるが、この形状に限定されるものではない。ビーチパラソルなど大型傘においては、下方で中軸を支える基部を示すものであり、同様に形状等が限定されるものではない。
【００１０】
中軸及び弾性部材が飛び出したりせず、かつ中軸の上下移動を確保するため、中空部に２カ所、即ち中軸に設けたフランジ部又は凸部の上と下にフランジ部又は凸部を設けている。
言い換えれば、中軸又は中空部に設けられたフランジ部又は凸部は全周囲に渡っていれば好適であるが、半周や一部などであっても良く、中軸及び弾性部材が飛び出さず、本願発明の効果を奏する構造となっていれば良いものである。
【００１１】
弾性部材は、最も典型的にはコイルバネが用いられるが、ウレタンなどのスポンジ部材など他の弾性部材を使用しても良い。傘の大きさや想定される使用形態などによって、弾性部材の強さは適宜選択すればよい。また、中空部の長さやフランジ部又は凸部の位置について調整することで、上下に移動できる範囲を傘によって変えることが出来るものである。
【発明の効果】
【００１２】
本発明は、上記の構成を有するので、内側・外側いずれの方向からの風に対しても弾力性をもち、力を吸収し圧力を軽減することが出来る。
また、ろくろや石突部分でなく、手元部で吸収するため、ワンタッチ傘などにおいて、開いた瞬間の圧力を軽減することが出来、老人や子供にとっても取り扱いが容易である。
【００１３】
さらに、手元部又は基部に耐風構造を持たせたため、構造上外部スペースを必要とせず、前述のような従来の耐風構造をさらに採用することを排除することがない。また、外観上は普通の傘と相違なく製造できるため、傘のデザインを制限することもない。
【図面の簡単な説明】
【００１４】
【図１】一般的な傘を示す図である本
【図２】発明の傘の耐風構造を示す概念図である。
【図３】傘の内側から圧力がかかった場合の傘の耐風構造を示す図である。
【図４】傘の外側から圧力がかかった場合の傘の耐風構造を示す図である。
【図５】本発明の他の実施例を示す図である。
【発明を実施するための形態】
【００１５】
本発明の実施の形態の一例を図面に従って説明する。
図１は傘全体を示す図であり、図２は本発明の傘の耐風構造を示す概念図（断面図）である。
【００１６】
図１において示されるように、一般的な傘１の構造は、先端の石突１０、親骨１１、受け骨１２、ろくろ１３、笠１４、中軸２、手元部３から構成される。
そして、本発明では中軸２を支える手元部３に耐風構造を持たせたものである。なお、手元部３は、個人が普段使用する笠ではＪ字型が多いが、ビーチパラソルなど大型傘では地面に設置する形状を備えた基部となる。
【００１７】
図２に示されるように、手元部３が中空部４になっており、中空部４に挿入されている中軸２にはフランジ部５が設けられている。
そして、中空部４のうち、中軸２のフランジ部５の上部及び下部に、上部フランジ部６及び下部フランジ部７が設けられており、
かつ中空部４には、中軸２のフランジ部５の上部と下部に、それぞれ上部コイルバネ８，及び下部コイルバネ９が設けられている。
【００１８】
中軸のフランジ部５と、上部フランジ部６及び下部フランジ部７が存在することにより、中軸２や上部コイルバネ８及び下部コイルバネ９が手元部３から飛び出したりすることはない。なお、中軸のフランジ部５、上部フランジ部６及び下部フランジ部７は、好ましくはその全周囲に渡っているが、前述の通り、必ずしも全周囲に渡る必要はなく、半周や一部の凸部であっても良い。
上記の構成により、内側・外側いずれの方向からの圧力に対しても、中軸２が上下に弾力性をもちながら移動し、力を吸収し圧力を軽減することが出来る。
【００１９】
図３は、傘１の内側から圧力がかかった場合の傘１の耐風構造を示す図である。最も典型的には、傘１を差した状態で内側（下側）から風に煽られた場合である。このような場合、中軸２は矢印の方向に移動し、風による圧力を軽減する。上部コイルバネ８の存在により、中軸２の移動は圧力を吸収しながら滑らかに行われるため、傘の使用者はその間に傘の向きを変えるなどとして、所謂「おちょこ」にならないよう対応することができる。ビーチパラソルなど大型傘では、突然飛んでしまうと危険であるため、このように力を吸収している時間が対応を可能にし、安全性を向上させることとなる。また、圧力が弱まれば、ゆっくりと元の位置（図２）に戻ってゆく。
【００２０】
図４は、傘の外側から圧力がかかった場合の傘の耐風構造を示す図である。図３とは逆の方向から圧力がかかった場合であり、この場合にも、図３と同様の効果を有する。すなわち、中軸２は矢印の方向に移動し、風による圧力を軽減する。下部コイルバネ９の存在により、中軸２の移動は圧力を吸収しながら滑らかに行われる。そして、また、圧力が弱まれば、ゆっくりと元の位置（図２）に戻ってゆく。
【００２１】
図５は、本発明の他の実施例を示す図である。この実施例では、下部コイルバネ９にあたる部分には中軸２が存在しない形態となっている。
【００２２】
なお、中空部４は、手元部２と一体的に製造しても良いし、別途手元部２の一部として連結させるような部材として成形しても良い。中空部４の下端の位置も、特に限定されるものではなく、例えばビーチパラソルなどにおいては、基部全体を中空として、下端を閉じていなくても本発明の構造及び効果に影響を与えるものではない。
【符号の説明】
【００２３】
１  傘
２  中軸
３  手元部
４  中空部
５  中軸のフランジ部
６  上部フランジ部
７  下部フランジ部
８  上部コイルバネ
９  下部コイルバネ
１０  石突
１１  親骨
１２  受け骨
１３  ろくろ
１４  笠
【図１】
2011160908.tif 000003
【図２】
2011160908.tif 000004
【図３】
2011160908.tif 000005
【図４】
2011160908.tif 000006
【図５】
2011160908.tif 000007